(57)【要約】【課題】枠片を連結するための専用部品をなくす。【解決手段】各一対の縦枠片４と横枠片５とからなり、縦枠片４と横枠片５の端部同士を継ぎ合わせることで額縁状に構成される枠体Ｆと、枠体Ｆの一面側に配され壁面Ｗへ取付けられる下地パネル１と、枠体Ｆの他面側に配されるタイル３とを備え、縦枠片４と横枠片５とは、下地パネル１と表面材とが縦・横の両枠片を跨いた状態で挟み付けることで固定される。かくして、縦枠片４と横枠片５とを連結するための専用部品を必要としないから、化粧パネルＰを安価に製造することができる。【選択図】図１
2015186538.tif 000002
【特許請求の範囲】
【請求項１】
被装着面に取付けられる化粧パネルであって、
各一対の縦枠片と横枠片とからなり、前記縦枠片と前記横枠片の端部同士を継ぎ合わせることで額縁状に構成される枠体と、
前記枠体の一面側に配される下地パネルと、
前記枠体の他面側に配される表面材とを備え、
前記縦枠片と前記横枠片とは、前記下地パネルと前記表面材とが前記縦・横の両枠片を跨いた状態で挟み付けることを特徴とする化粧パネル。
【請求項２】
前記縦枠片又は横枠片の一方側の長手方向の端部には継ぎ手部が形成される一方、他方側の長手方向の端部には継ぎ手受け部が形成され、前記継ぎ手部と前記継ぎ手受け部とは前記両枠片の肉厚方向から係止し合うことで、前記縦枠片と前記横枠片とが前記枠体の平面方向で分離不能となっていることを特徴とする請求項１に記載の化粧パネル。
【請求項３】
前記縦枠片における表面側の外縁部には、同縁部に沿って起立片が起立形成されるとともに、この起立片は前記横枠片の長手方向の両端部を覆う位置まで延出していることを特徴とする請求項１又は請求項２記載の化粧パネル。
【請求項４】
前記縦枠片、前記横枠片の少なくとも一方の裏面側には、前記被装着面に設けられた留め金具に係止して前記化粧パネル全体を支持する支持突部が突出して形成されていることを特徴とする請求項１乃至請求項３のいずれか１項に記載の化粧パネル。
【発明の詳細な説明】
【技術分野】
【０００１】
本発明は、化粧パネルに関するものである。
【背景技術】
【０００２】
従来より、複数の枠片を継ぎ合せて額縁状の枠体を構成する技術が知られている。そのようなものとして、下記特許文献１が知られている。ここには、枠片同士を、略Ｌ字形状をした連結金具を用いて接続するようにした構成が開示されている。各枠片、連結金具は共に断面略コの字形状に形成され、隣接する枠片の端部を連結金具の両側から差し込み、枠片の端縁同士を突き当てるようにしている。
【先行技術文献】
【特許文献】
【０００３】
【特許文献１】特開平１１−４７３７号公報
【発明の概要】
【発明が解決しようとする課題】
【０００４】
しかし、上記したものでは、各枠片同士を接続するための連結金具、という専用部品を必要とするため、その分、製造コストと組み付けの手間が増す、という問題がある。
【０００５】
本発明は上記のような事情に基づいて完成されたものであって、枠片同士の連結を簡単に行うことができる化粧パネルを提供することを目的とする。
【課題を解決するための手段】
【０００６】
本発明の化粧パネルは、被装着面に取付けられるものであって、各一対の縦枠片と横枠片とからなり、縦枠片と横枠片の端部同士を継ぎ合わせることで額縁状に構成される枠体と、枠体の一面側に配される下地パネルと、枠体の他面側に配される表面材とを備え、縦枠片と横枠片とは、下地パネルと表面材とが縦・横の両枠片を跨いた状態で挟み付けることを特徴とする。
【発明の効果】
【０００７】
本発明によれば、下地パネルと表面材とが縦枠片と横枠片とを跨いだ状態で両枠片を挟んで固定している。したがって、縦枠片と横枠片とを連結するための専用部品を必要としないから、化粧パネルを安価に製造することができる。また、枠体に対する下地パネル及び表面材の取付け工程がそのまま縦枠片と横枠片との固定工程となるため、化粧パネルの製造工程を簡略化して製造効率を高めることもできる。
【図面の簡単な説明】
【０００８】
【図１】化粧パネルを一部破断して示す斜視図
【図２】施工状況を説明するための斜視図
【図３】枠体を示す裏面図
【図４】枠体と下地パネルとを示す斜視図
【図５】継ぎ手部と継ぎ手受け部とが係止し合っている部分を拡大して示す平面図
【図６】（Ａ）は化粧パネルの下縁側が留め具に係止される前の状態を示す断面図、（Ｂ）は同じく係止後の状態を示す断面図
【図７】（Ａ）は化粧パネルの上縁側が留め具に係止される前の状態を示す断面図、（Ｂ）は留め具をスライドさせて化粧パネルの上縁側が留め具に係止された後の状態を示す断面図
【発明を実施するための形態】
【０００９】
本発明における好ましい実施の形態を説明する。  
（１）本発明の化粧パネルにおいて、前記縦枠片又は横枠片の一方側の長手方向の端部には継ぎ手部が形成される一方、他方側の長手方向の端部には継手受け部が形成され、前記継ぎ手部と前記継ぎ手受け部とは前記両枠片の肉厚方向から係止し合うことで、前記縦枠片と前記横枠片とが前記枠体の平面方向で分離不能となった構成にすると良い。  
このような構成によれば、縦枠片又は横枠片の一方側に設けられた継ぎ手部と他方側に設けられた継ぎ手受け部とを肉厚方向から係止させて、縦枠片と横枠片とが枠体の平面方向へ分離することなく継ぎ合わされるようにしている。かくして、継ぎ手部と継ぎ手受け部との機械的係止によって縦枠片と横枠片とが枠体の平面方向へ分離する事態を確実に防止することができる。
【００１０】
（２）前記縦枠片における表面側の外縁部には、同縁部に沿って起立片が起立形成されるとともに、この起立片は前記横枠片の長手方向の両端部を覆う位置まで延出するようにしてもよい。  
このような構成によれば、枠体が構成されたときに、縦枠片の起立片が横枠片の長手方向の両端部を覆い隠すことができるため、化粧パネルの側面視の外観保持に有効である。
【００１１】
（３）前記縦枠片、横枠片の少なくとも一方の裏面側には、前記被装着面に設けられた留め金具に係止して前記化粧パネル全体を支持する支持突部が突出して形成されるようにしてもよい。  
このような構成によれば、支持突部を留め金具に係止させることで、化粧パネルを被装着面に取付けることができる。
【００１２】
＜実施例１＞  
図１に示すように、実施例１に係る化粧パネルＰは表面に複数枚のタイル３を張り付けた構成である。この化粧パネルＰは、例えば、図２に示すように、室内の壁面Ｗ（被装着面）に固定される。
【００１３】
化粧パネルＰは、金属製（アルミ合金製）の平板からなる枠体Ｆ、下地パネル１、シート材２及び表面材としての複数のタイル３とを含んで構成されている。まず、枠体Ｆについて説明すると、図３に示すように、枠体Ｆは各一対の縦枠片４と横枠片５とからなっており、縦枠片４と横枠片５の端部同士が継ぎ合わされることで額縁状に構成されている。
【００１４】
本実施例の化粧パネルＰは、図２に示すように横長形状に形成されているため、枠体Ｆについても、縦枠片４より横枠片５の方が長めに形成されている。図３、図４に示すように、横枠片５の長手方向の両端部であって内縁側には、一対の継ぎ手部Ｊ１が一体に突出形成されている。両継ぎ手部Ｊ１は対称形状に形成されている。継ぎ手部Ｊ１は、横枠片５の表裏両面と面一で連続している。また、継ぎ手部Ｊ１は横枠片５の内縁から同縁に沿って外方へ延出する横延出部６Ａとその延出端部から外縁側に向けて略直角に屈曲する縦延出部６Ｂとからなっており、全体として鉤型形状をなしている。
【００１５】
横枠片５の外縁は、全縁に亘って表裏両方向へ略直角にかつ略同一の突出高さをもって立ち上がっており（図１参照）、表面側へは表側起立片７Ａとなって立ち上がり、裏面側へは裏側起立片７Ｂとなって立ち上がっている。図４に示すように、裏側起立片７Ｂの両端部寄りには所定幅に亘って切欠き部８が一対、形成されている（図４では片側のみが示されている）。各切欠き部８は、化粧パネルＰを壁面Ｗに装着する際に、留め金具９（図２参照）との干渉を回避するためのものである。
【００１６】
図３、図４に示すように、横枠片５の外縁部は同縁の長手方向に沿って外方へ延出して突片１０となっている。この突片１０は、継ぎ手部Ｊ１が外方へ突出する寸法より長めに形成されており、縦枠片４の長手方向の両端部（上端又は下端）の略全体を覆っている。
【００１７】
また、図３に示すように、横枠片５の裏面であって幅方向の略中央部には、留め金具９に対する係止と下地パネル１の位置決めを行うための支持突部１１が突設されている。支持突部１１は、図４に示すように、横枠片５の裏面から起立する位置決め片１１Ａと、この位置決め片１１Ａの突出端から外縁側に向けて略直角に屈曲して形成された係止片１１Ｂとから一体に形成され、全体として鉤型をなしている。図４、図６に示すように、係止片１１Ｂの突出端縁には同縁に沿ってフック部１１Ｃが形成され、留め金具９に対して係止可能である。
【００１８】
次に、縦枠片４について説明すると、図３、図４に示すように、縦枠片４の長手方向の両端部寄りには継ぎ手受け部Ｊ２が設けられている。継ぎ手受け部Ｊ２は、縦枠片４の内縁から外縁に向けて切り欠かれた横溝１２Ａと、この横溝１２Ａの奥端から長手方向の端部へ向けて略直角に立ち上がる縦溝１２Ｂとから形成され、全体として横枠片５の継ぎ手受け部Ｊ２と適合する形状となっている。そして、横枠片５の継ぎ手部Ｊ１と縦枠片４の継ぎ手受け部Ｊ２とは、両枠片４，５の肉厚方向から嵌め合い可能である。このことにより、縦枠片４と横枠片５とが継ぎ合せ可能となり、継ぎ合された状態では、両枠片４，５は枠体Ｆの平面方向、つまり両枠片４，５同士が図５における左右方向及び上下方向のいずれの方向へ分離することが不能になる。
【００１９】
縦枠片４が支持突部１１、表側起立片７Ａ及び裏側起立片７Ｂが形成されている点は、横枠片５と同じである。但し、図５等に示すように、表側起立片７Ａ及び裏側起立片７Ｂは縦枠片４における長手方向両端部から同方向に沿って延出して覆い部７Ｃとなっている。各覆い部７Ｃは枠体Ｆが構成されたときに、横枠片５の長手方向両端部を覆い隠すことができる。
【００２０】
縦枠片４において、他の形態は横枠片５に設けられたものと同一である。このため、図面中には、同一の符号を付して説明は省略する。但し、縦枠片４には横枠片５とは異なり、切欠き部８は設けられていない。
【００２１】
下地パネル１は、化粧パネルＰの裏面側を家屋内の壁面Ｗに沿わせるためのものであり、本実施例では樹脂発泡板によって形成されており、家屋内の壁面Ｗの凹凸を吸収できる程度の軟質さをもっている。図４に示すように、下地パネル１は、略方形の薄い板状をなして形成されている。全体としての大きさは、縦枠片４と横枠片５とが継ぎ合されて枠体Ｆが形成されたときに、各支持突部１１によって囲まれた領域に嵌め入れ可能な程度としてある。そして、この嵌め合い状態では、下地パネル１の外縁は各支持突部１１の位置決め片１１Ａの内面側にほぼ当接可能となっている。これにより、下地パネル１は枠体Ｆに対し平面方向への位置決めがされる。下地パネル１は、この状態で両枠片４，５の裏面の内縁部に載置され、接着剤を介して固定される。なお、図６、図７に示すように、下地パネル１の厚みは支持突部１１の位置決め片１１Ａの突出高さとほぼ等しいか、僅かに小さなものとなっている。
【００２２】
図１に示すように、枠体Ｆの内側、つまり縦枠片４と横枠片５の各内縁によって囲まれた領域にはシート材２が嵌め入れられる。このシート材２も下地パネル１と同様に、樹脂発泡材によって形成されている。シート材２の厚みは、枠体Ｆの厚みとほぼ同じに形成されており、シート材２の表面が枠体Ｆの表面と略面一の連続した面となるようにしてある。
【００２３】
図１に示すように、表面材であるタイル３は複数個が設けられている。本実施例のタイル３は調湿機能を有する材質にて形成されている。各タイル３は外縁が方形状をなし、表面側へ弧状に隆起する形態にて成形されている。これらタイル３は、枠体Ｆの内側、つまり縦枠片４及び横枠片５の表側起立片７Ａによって囲まれる領域内に密着状態でかつ格子状に整列して敷き詰められ、縦枠片４及び横枠片５の表面及びシート材２の表面に接着剤を介して接着固定される。このようにすることで、枠体Ｆは下地パネル１及びタイル３によって表裏両面から挟み付けられる。換言すれば、下地パネル１とタイル３との挟み付けは、縦枠片４と横枠片５とに跨った状態でなされる。このことにより、縦枠片４と横枠片５とは肉厚方向へ互いが分離してしまうことが防止される。
【００２４】
図２に示すように、化粧パネルＰの取付けに先立って、壁面Ｗには化粧パネルＰの四隅、具体的には横枠片５の各切欠き部８に対応した４か所に留め金具９が取付けられる。
【００２５】
図２に示すように、各留め金具９は金属製の板材にて横長形状に形成されている。留め金具９の長辺側における一方の縁は、同縁に沿って表面側へ向けて張り出す張り出し縁１３が形成されている。留め金具９の長辺側における他方の縁は、同縁に沿って係止受け縁１４が形成されている。係止受け縁１４は、表面側へ張り出す張り出し部１４Ａとこの張り出し部１４Ａの突出端から外方（下方あるいは上方）へ立ち上る受け部１４Ｂとから形成されている。図6、図７に示すように、各留め金具９が壁面Ｗに取付けられたときに、各受け部１４Ｂと壁面Ｗとの間に保有される隙間には、横枠片５の係止片１１Ｂが差し込み可能である。また、受け部１４Ｂの先端縁には同縁に沿って掛け止め縁１４Ｃが形成されており、係止片１１Ｂのフック部１１Ｃと係止可能である。
【００２６】
各留め金具９の長手方向の両端部寄りには、一対の取り付け孔１５が開口しており、両取り付け孔１５を通して壁面Ｗへねじ１６を締め込み可能としている。また、各留め金具９における長手方向の中央部には、縦方向へ長孔となった調節孔１７が開口している。
【００２７】
上記の各留め金具９のうち下側に配されるペアは、図２、図６に示すように、係止受け縁１４の受け部１４Ｂが上向きとなるようにして取り付けがなされている。その場合には、両取り付け孔１５を通して壁面Ｗにねじ１６が締め込まれることで、下側に配される留め金具９の固定がなされる。一方、上側に配される留め金具９のペアは、図２、図７に示すように、係止受け縁１４の受け部１４Ｂが下向きとなるようにして取り付けがなされている。その場合には、調節孔１７を通して壁面Ｗにねじ１６が締め込まれるが、上側に配される留め金具９のペアは、調節孔１７によって壁面Ｗに沿いつつ上下方向へ移動可能となっている。
【００２８】
化粧パネルＰを壁面Ｗに取り付ける場合には、図６（Ａ）に示すように、化粧パネルＰは上縁側を手前に傾けた姿勢とする。そして、下側に位置する横枠片５の支持突部１１を、対応する下側の留め金具９のペアの各係止受け縁１４の上方に位置させる。そして、支持突部１１の係止片１１Ｂの先端部を受け部１４Ｂと壁面Ｗの隙間に差し込みつつ化粧パネルＰを徐々に直立姿勢とし、係止片１１Ｂを、受け部１４Ｂと壁面Ｗとの間の隙間の奥まで差し込む。こうすることで、受け部１４Ｂの掛け止め縁１４Ｃに係止片１１Ｂのフック部１１Ｃを係止させることができる（図６（Ｂ）状態）。
【００２９】
図７（Ａ）は、この状態での化粧パネルＰの上縁側の状況を示している。すなわち、上側に位置する横枠片５における係止片１１Ｂの上端縁は、上側に位置する留め金具９の受け部１４Ｂの下縁の下方に離間して位置している。
【００３０】
続いて、上側に位置している留め金具９のペアを、共に下方へスライドさせる。このスライド操作は、ねじ１６が調節孔１７を通して壁面Ｗに締め込まれた状態で行われる。上側の両留め金具９のスライド操作がなされると、受け部１４Ｂと壁面Ｗとの間の隙間に係止片１１Ｂが差し込まれるため、上側の横枠片５における支持突部１１が留め金具９の係止受け縁１４に係止する。かくして、上下の両横枠片５が各留め金具９によって支持される結果、化粧パネルＰが壁面Ｗに支持されて取付け作業が完了する。
【００３１】
本実施例の効果は次の通りである。本実施例に係る化粧パネルＰは、枠体Ｆが下地パネル１とタイル３とで挟み付けられて固定されている。つまり、下地パネル１とタイル３との挟み付けが、縦枠片４と横枠片５とに跨った状態でなされているから、縦枠片４と横枠片５とが肉厚方向へ分離してしまうことを防止することができる。したがって、縦枠片４と横枠片５とを連結するための専用部品を必要としないから、化粧パネルＰを安価に製造することができる。また、枠体Ｆに対する下地パネル１及びタイル３の取付け工程がそのまま縦枠片４と横枠片５との固定工程となるため、化粧パネルＰの製造工程を簡略化して製造効率を高めることもできる。
【００３２】
また、縦枠片４と横枠片５とは継ぎ手部Ｊ１と継ぎ手受け部Ｊ２とが肉厚方向から嵌り合うことで、縦枠片４と横枠片５とが平面方向に分離しないようになっている。このように、縦枠片４と横枠片５との機械的係止を通じて、両枠片４５が平面方向への分離を確実に防止することができる。
【００３３】
さらに、縦枠片４と横枠片５の各裏側起立片７Ｂの張り出し端縁は、壁面Ｗに略突き当てられて化粧パネルＰの裏側を全周に沿って覆い隠すようにしているため、留め金具９等が外部から見えてしまうことはない。また、縦枠片４と横枠片５の表側起立片７Ａの高さはタイル３の端縁の厚みとほぼ同じであるため、化粧パネルＰに貼り付けられたタイル３のうち外周縁部に位置する全タイル３の端縁を覆い隠すことができる。したがって、化粧パネルＰの良好な外観保持に寄与することができる。
【００３４】
さらにまた、縦枠片４の長手方向両端部に覆い部７Ｃを延出形成している。したがって、化粧パネルＰを側方から見た場合においても、横枠片５の長手方向両端部を覆って横枠片５の切断端面が隠されている。このことも、化粧パネルＰの側面視における良好な外観保持に有効となる。
【００３５】
＜他の実施例＞
本発明は上記記述及び図面によって説明した実施例に限定されるものではなく、例えば次のような実施例も本発明の技術的範囲に含まれる。  
（１）上記実施例では、表面材としてタイル３を用いたが、決して限定されるべきものではない。本実施例では調湿機能を有するタイル３としたが、タイルでなくてもよく、単に装飾機能を有するものであってもよい。  
（２）上記実施例では、化粧パネルＰを留め金具９を用いて壁面Ｗに固定するようにしたが、接着のみによって固定するようにしてもよい。  
（３）上記実施例では、縦枠片４相互あるいは横枠片５相互はそれぞれ同一形状であるようにしたが、相互に異なる形状であってもよく、さらには全ての枠片４，５の形状が異なるようにしてもよい。逆に、継ぎ手部Ｊ１及び継ぎ手受け部Ｊ２の形状を変更すれば、縦枠片４、横枠片５の全てを同一形状とすることも可能である。
【符号の説明】
【００３６】
１…下地パネル
３…タイル（表面材）
４…縦枠片
５…横枠片
７Ａ…表側起立片（起立片）
９…留め金具
１１…支持突部
Ｆ…枠体
Ｊ１…継ぎ手部
Ｊ２…継ぎ手受け部
Ｐ…化粧パネル
Ｗ…壁面（被装着面）
【図１】
2015186538.tif 000003
【図２】
2015186538.tif 000004
【図３】
2015186538.tif 000005
【図４】
2015186538.tif 000006
【図５】
2015186538.tif 000007
【図６】
2015186538.tif 000008
【図７】
2015186538.tif 000009